(57)【要約】      （修正有）【課題】複数のバック・プロジェクターから投射された画像の面積を最大化し、同時にプロジェクターとスクリーン間の距離を最短化できるマスメディアビデオプレーヤを提供する。【解決手段】１つのビデオ画像用の融合器７００と、複数のプロジェクター１００、２００、３００、４００と、複数の光反射装置１０、２０、３０、４０と、１つのスクリーン５００とを含む。光反射装置は、複数のプロジェクターのレンズの前方にそれぞれ設置された１次光反射器と、複数のプロジェクターの上方にそれぞれ設置された２次光反射器と、を備える。【選択図】図１
0003164797.tif 000002
【実用新案登録請求の範囲】
【請求項１】
ビデオ信号用のエッジ・ブレンディング装置と、複数のプロジェクターと、複数の光反射器を備える光反射装置と、一面のスクリーンとを含み、
前記光反射装置は、前記複数のプロジェクターのレンズの前方にそれぞれ設置された１次光反射器と、前記複数のプロジェクターの上方にそれぞれ設置された２次光反射器と、を備え、
前記プロジェクターから投射した画像は先ず、前記１次光反射器の反射を経て更に、前記２次光反射器によって反射拡大され、最後に、前記スクリーンに投射されて、視聴者の観賞に供し、また、前記拡大されたそれぞれの画像は前記エッジ・ブレンディング装置によって融合されてそのサイズを最大化し、前記プロジェクターと前記スクリーン間の距離は、できるだけ短縮されるマスメディアビデオプレーヤ。
【請求項２】
ビデオ信号用のエッジ・ブレンディング装置と、複数のプロジェクターと、複数の光反射器を備える光反射装置と、一面のスクリーンとを含み、
前記光反射装置は、前記複数のプロジェクターの上方にそれぞれ設置された１次光反射器を備え、
前記プロジェクターから投射した画像は、前記１次光反射器によって反射拡大され、前記スクリーンに投射されて、視聴者の観賞に供し、また、前記拡大されたそれぞれの画像は前記エッジ・ブレンディング装置によって融合されてそのサイズを最大化し、前記プロジェクターと前記スクリーン間の距離は、できるだけ短縮されるマスメディアビデオプレーヤ。
【請求項３】
前記プロジェクターと前記光反射装置は、多数個を横方向に単行に配置されている請求項１または請求項２に記載のマスメディアビデオプレーヤ。
【請求項４】
前記プロジェクターと前記光反射装置は、多数個を縦方向に単行に配置されている請求項１または請求項２に記載のマスメディアビデオプレーヤ。
【請求項５】
前記プロジェクターと前記光反射装置は、多数個を横方向に複行に配置、また多数個を縦方向に複列に配置されている請求項１または請求項２に記載のマスメディアビデオプレーヤ。
【請求項６】
前記プロジェクターと前記光反射装置は、多数個を横方向に複行に配置、また多数個を縦方向に複列に配置して、マトリックス状を形成している請求項５に記載のマスメディアビデオプレーヤ。
【請求項７】
前記エッジ・ブレンディング装置と、前記プロジェクターと、前記光反射装置と、前記スクリーンは、機台上に設置されている請求項１〜６のいずれか１項に記載のマスメディアビデオプレーヤ。
【請求項８】
前記光反射装置が備える前記光反射器と、前記プロジェクターは、可調整式、または不可調整式である請求項１〜７のいずれか１項に記載のマスメディアビデオプレーヤ。
【考案の詳細な説明】
【技術分野】
【０００１】
本考案はマスメディアビデオプレーヤ（Ｍａｓｓ  Ｍｅｄｉａ  Ｖｉｄｅｏ  Ｐｌａｙｅｒ）に係わるもので、詳しくは、ビデオ信号用のエッジ・ブレンディング装置（ｅｄｅｇｅ  ｂｌｅｎｄｉｎｇ  ａｐｐａｒａｔｕｓ  ｆｏｒ  ｖｉｄｅｏ  ｓｉｇｎｌｓ、即ちビデオ画像の融合器。以下、エッジ・ブレンダー（ｅｄｇｅ  ｂｌｅｎｄｅｒ）とも簡称する。）を使用して、光学効能を利用した複数のバック・プロジェクターからのスクリーン上の画像が占める面積を最大にし、また、プロジェクターとスクリーンとの間の距離を最小限度に抑えるマスメディアビデオプレーヤに関するものである。
【背景技術】
【０００２】
周知の如く、画像の投射には、２つの方法がある。即ち、前方からの投射と後方からの投射である。もし投射した画像をできるだけ大きくしようとすれば、プロジェクターとスクリーン間の距離を大きく取らなければならない。なぜならば、画像の大きさは投射距離に比例するからである。プロジェクターは、スクリーンの前にすえ付けられている故、投射光線は、スクリーンの前方から入射し、視聴者も前方からスクリーン上の画像を見るのである。このため、スクリーンの前に立つ講演者は、直接光害を受けることになる。バック投射方式では、このような光害問題は起きないが、スクリーンの後方にかなりの空間が必要となる。投射距離が長ければ長くなる程、輝度が衰える。これは、前後投射両方式に共通の問題である。距離の問題を解決するために、短焦点投射技法を採用する場合もあるが、また、単一の後方投射ＴＶを使って、巧みに光反射原理を利用する技法もある。
【０００３】
また、或る業者は、複数のプロジェクターで画像を融合して投射距離を短縮し、輝度を改善している。これでもかなり長い距離を必要とし、短縮が難しい。結果として、画像面積の最大化や、プロジェクターとスクリーン間の距離の短縮が難しくなる。
【考案の概要】
【考案が解決しようとする課題】
【０００４】
複数のプロジェクターと１つのエッジ・ブレンダーと、複数の光反射装置とを含み、エッジ・ブレンダーと光反射作用を組み合わせ、複数のバック・プロジェクターから投射された画像の面積を最大化し、同時にプロジェクターとスクリーン間の距離を最短化できるマスメディアビデオプレーヤの提供を本考案の目的とする。
【課題を解決するための手段】
【０００５】
前記の課題（目的）を解決するため、本考案に於いては、先ずエッジ・ブレンダーでビデオ信号を受信し、これを複数のプロジェクターに送信する。ここからさらに、複数の光反射装置に入射する。光反射装置には、１次反射器と２次反射器とがある。後者の反射器は、前者のそれとの間に反射角をなしている。１次反射器が反射した画像は更に２次反射器に入射して反射され、スクリーンに投射されて画像を作り観賞に供されるのである。この最終画像は２次反射による複数のプロジェクターによる諸画像の総合された最大画像である。
【０００６】
本考案に於けるスクリーンは横方向に１×Ｎ、または縦方向にＭ×１の単行、または、単列に配置された反射装置からの画像群が投射されるものである。これはエッジが融合された１×Ｎの横方向とＭ×１の縦方向の画像群よりなる総合画像である。
【０００７】
本考案に於けるスクリーンは横方向に１×Ｎ、または縦方向にＭ×１の単行、または、単列に配置された反射装置からの画像群が投射される。Ｎ×Ｍの横方向と縦方向において拡大されたＮ×Ｍのマトリックス画像群はエッジ融合されて、単一の総合画像となる。
【０００８】
本考案に於ける画像は、スクリーンの後方より投射され、スクリーンの前方に位置する視聴者と講演者は、光害を受ける心配がない。
【０００９】
本考案に於いて視聴者は、１回または２回反射されて拡大、且つエッジ融合された画像を観賞でき、プロジェクターとスクリーンの距離は、極力短縮されるから、この距離が長すぎるための画像輝度の低減の問題も起きないのである。
【考案の効果】
【００１０】
本考案に係わるマスメディアビデオプレーヤは、前述のビデオ信号のエッジ・ブレンディング装置と１次または２次光反射装置を巧みに組み合わせた複数のプロジェクターであって、プロジェクターとスクリーンの間の距離をできるだけ短縮した高い水準を持った光学と音響装置を作出できる。
【図面の簡単な説明】
【００１１】
【図１】図１は、本考案に係るマスメディアビデオプレーヤの概略図である。
【図２】図２は、本考案の第１実施形態の立体図である。
【図３】図３は、本考案に係るプロジェクターと画像の配置を示した概略図である。
【図４】図４は、本考案の第２実施形態に於ける画像構成状態を示した概略図である。
【図５】図５は、本考案と従来の技術で構成した画像の配置の比較図である。
【図６】図６は、本考案に係る第２実施形態の概略図である。
【考案を実施するための形態】
【００１２】
図１を参照しよう。本考案に係るマスメディアビデオプレーヤには、１つのエッジ・ブレンディング装置７００と、複数のプロジェクター１００、２００、３００、４００と、複数の光反射装置１０、２０、３０、４０と、一面のスクリーン５００とが含まれている。ビデオ信号を受信したエッジ・ブレンディング装置７００は、これらビデオ・シグナルＳをプロジェクター１００、２００、３００、４００に送信する。プロジェクター１００、２００、３００、４００は、これら融合された画像を光反射装置１０、２０、３０、４０に投射して、１回または２回の反射を経た後、スクリーン５００に投射して、スクリーン５００の前に位置する視聴者に観賞してもらうのである。
【００１３】
図２を参照しよう。エッジ・ブレンディング装置（エッジ・ブレンダー）７００と、プロジェクター１００、２００、３００、４００と、光反射装置１０（反射器１０１、１０２を含む）、２０（反射器２０１、２０２を含む）、３０（反射器３０１、３０２を含む）、４０（反射器４０１、４０２を含む）と、スクリーン５００は、機台（フレーム）６００に取り付けられている。各々の光反射装置１０、２０、３０、４０は、１回か２回の反射をなす。上述のように光反射装置１０、２０、３０、４０は、それぞれ２個の反射器１０１、１０２と、２０１、２０２と、３０１、３０２と、４０１、４０２とを含んでおり、それぞれにおいて反射が２回できる。反射器１０１、２０１、３０１、４０１は、それぞれのプロジェクター１００、２００、３００、４００の前方に置かれ、画像を１回反射するため、これら反射器１０１、２０１、３０１、４０１は、１次光反射器と呼称する。一方、他の１組の反射器１０２、２０２、３０２、４０２は、それぞれ、プロジェクター１００、２００、３００、４００の上方の適当な位置に置かれて、２回目の反射をなすのである。２回反射された画像は、邪魔されることなく、スクリーン５００に到達する。そして反射器１０２、２０２、３０２、４０２は、２次光反射器と呼称する。画像の誤差校正を可能にするため、１次光反射器１０１、２０１、３０１、４０１と、２次光反射器１０２、２０２、３０２、４０２との距離、またはプロジェクター１００、２００、３００、４００に至るまでの距離を調整可能な方式（可調整式）とする場合もある。図６に示すように、反射器１０１、２０１、３０１、４０１を使用せずに、プロジェクターの上方に設置された反射器１０２、２０２、３０２、４０２のみで１回だけ反射しても、プロジェクターとスクリーン間の距離を短縮することが可能である。この場合、反射器１０２、２０２、３０２、４０２は、プロジェクターから投射された画像を１回だけ反射するために用いられる１次光反射器として機能する。
【００１４】
図３を参照しよう。本考案に於けるプロジェクターと反射器は、Ｍ個のプロジェクターと反射器１００Ｍ、２００Ｍ、３００Ｍ、４００Ｍを単に水平方向にまたＮ個のプロジェクターと反射器１００Ｎ、２００Ｎ、３００Ｎを単に垂直方向に配置する。またはＭ個のプロジェクターと反射器１００Ｍ、２００Ｍ、３００Ｍ、４００Ｍを単に水平方向に配置し、同時にＮ個のプロジェクターと反射器１００Ｎ、２００Ｎ、３００Ｎを単に垂直方向に配置してもよい。図３（Ａ）は、Ｍ個のプロジェクターと反射器を単に水平方向に配置した状態を示している。そして、その画像は単一の横方向に伸張した長条帯形に投影されている（図３（Ｃ）を参照）。もし、図３（Ｂ）に示すように、Ｎ個のプロジェクターと反射器が単に垂直方向に配置していたら、その画像は、単にＮ個の縦方向に伸長した長条帯の形態として表現する（図３（Ｃ）を参照）。もし、Ｍ個のプロジェクターと反射器が水平方向に配置され、またＮ個のプロジェクターと反射器が垂直方向に配置されるならば、その画像はＭ×Ｎのマトリックス形態として表現される（図３（Ｃ）を参照）。
【００１５】
（本考案と従来技術との比較）
（対比例１）
図４と図５（Ａ）を参照しよう。長さ４３ｃｍの普通の単一プロジェクターで高さ（ｈ）＝２２９ｃｍ、幅（ｗ）＝３０５ｃｍの画像を作る場合、スクリーンとプロジェクターのレンズ間の距離（ｄ１）＝２４３ｃｍを必要とし、スクリーンとプロジェクター後端部間の距離（ｄ２）＝２８６ｃｍを必要とする。そして、２８６ｃｍ×２２９ｃｍ×３０５ｃｍの空間を残さなければならない。この場合、プロジェクターとスクリーン間の距離が遠すぎ、輝度の貧弱な画像になる。
【００１６】
（対比例２）
図４と図５（Ｂ）を参照しよう。もし、前述の普通の長さ４３ｃｍのプロジェクターを４個上下に並べて投射し、高さ（ｈ）＝２２９ｃｍ、幅（ｗ）＝３０５ｃｍの上述のような画像を作る場合、単一のプロジェクターで１６８ｃｍ（ｗ）×１２６ｃｍ（ｈ１）の画像が得られ、２つの画像の水平融合幅（ｗ０）は、３１ｃｍで、垂直融合幅（ｗｐ）は２３ｃｍとなる。スクリーンからプロジェクター・レンズの距離（ｄ３）は１３１ｃｍ、スクリーンからプロジェクター後端部の距離（ｄ４）は、１７４ｃｍをそれぞれ必要とする。対比例１と比較すれば、改善の効果が見られるが、まだ、１７４ｃｍ×２２９ｃｍ×３０５ｃｍのような大きな投射空間が必要だという問題が残る。
【００１７】
（実施例１）
図４と図５（Ｃ）を参照しよう。同様な２２９ｃｍ（ｈ）×３０５ｃｍ（ｗ）の画像に対し、本考案のプロジェクター４基を上下２×２に配置し、１次と２次反射器を使用して投影した（図２を参照）。スクリーンからプロジェクター後端部の距離は、８８ｃｍとしたら、スクリーンから２次反射装置後端部の距離を８５ｃｍと短縮できる。このようにして、投射距離を極端に短縮でき、必要とする空間は、対比例１の１／３より小さくなり、対比例２の１／２より小さくなる。
【００１８】
（実施例２）
図４と図５（Ｄ）を参照しよう。同様な２２９ｃｍ（ｈ）×３０５ｃｍ（ｗ）の画像に対し、本考案のプロジェクター４基を上下２×２に配置し、プロジェクターの上方に配置された反射器だけを使って投射した。スクリーンからプロジェクター後端部の距離は、１００ｃｍとしたら、スクリーンから２次反射器の距離は９１ｃｍである。このようにして、投射距離を大いに短縮し、必要とする空間は、対比例１のそれの１／２．８、対比例２のそれの１／１．７となった。
【００１９】
以上詳細な説明は、本考案の実施可能な実施例についての具体的説明である。対比例に比べての優位性は上述したとおりである。但し、これらの実施例は本考案の実用新案登録請求の範囲を制限するものではなく、およそ本考案の技術精神を逸脱せずなされた同等効果の実施、または変更は、全て本考案の実用新案登録請求の範囲内に含まれるものとする。
【００２０】
以上を総合すると本考案は形態に於いて確かに創意性があるのみならず、従来の技術に比べ、優位であり、新規性及び進歩性に関する法定された実用新案登録請求の要件に十分合致するものである。
【符号の説明】
【００２１】
１０、２０、３０、４０    光反射装置、
１００、２００、３００、４００    プロジェクター、
１０１、２０１、３０１、４０１    １次光反射器、
１０２、２０２、３０２、４０２    １次光反射器、２次光反射器、
５００    スクリーン、
６００    機台（フレーム）、
７００    エッジ・ブレンディング装置（エッジ・ブレンダー）。
【図１】
0003164797.tif 000003
【図２】
0003164797.tif 000004
【図３】
0003164797.tif 000005
【図４】
0003164797.tif 000006
【図５】
0003164797.tif 000007
【図６】
0003164797.tif 000008